(57)【特許請求の範囲】
【請求項１】
ハブ（１）の外周側にゴム状弾性材製の弾性体（３）を介して質量体（４）を接続したダンパであって、連続可変機構（５５）を備えたカムシャフトプーリ（５４）に取り付けられるダンパにおいて、
前記ハブ（１）は、前記カムシャフトプーリ（５４）の径方向部（５４ａ）の端面にボルト（５）で固定される取付部（１ａ）と、前記取付部（１ａ）の内周端部から軸方向一方に向けて一体成形され、前記連続可変機構（５５）の外周側に嵌合代をもたないように配置される筒状部（１ｂ）とを備え、
前記筒状部（１ｂ）は前記連続可変機構（５５）との間に径方向間隙（６）を設定し、この筒状部（１ｂ）の外周側に前記弾性体（３）を介して前記質量体（４）が接続され、
前記質量体（４）の偏心を防止するべく前記質量体（４）が前記カムシャフトプーリ（５４）に対して摺動自在に径方向に係合していることを特徴とするダンパ。
【発明の詳細な説明】
【０００１】
【発明の属する技術分野】
本発明は、ダンパに係り、更に詳しくは、連続可変機構を備えたカムシャフトプーリに取り付けられるダイナミックダンパに関するものである。
【０００２】
【従来の技術】
従来から、図２に示すように、ハブ５１の外周側にゴム状弾性材製の弾性体５２を介して質量体５３を接続したダンパが知られているが、このダンパを、図３に示すような連続可変機構５５を備えたカムシャフトプーリ５４に取り付けようとすると、以下の不都合が生じることになる。
【０００３】
すなわち、上記従来のダンパは、その取付けに関して、ハブ５１を取付部材の外周側に嵌合する構造となっている。上記したようにダンパを、連続可変機構５５を備えたカムシャフトプーリ５４に取り付ける場合、取付部材は連続可変機構５５である。しかしながらこの連続可変機構５５の内部には、精密加工を施された油圧ユニット（図示せず）が内蔵されている。したがってダンパを連続可変機構５５の外周側に嵌合することにより、その嵌合荷重によって連続可変機構５５に変形が発生すると、油圧ユニットに異常が発生する虞があり、できればダンパを連続可変機構５５の外周以外のところに取り付けるのが望ましい。
【０００４】
尚、図３において、符号５６はインテーク側カムシャフト、５７はエキゾースト側カムシャフトを示しており、インテーク側カムシャフト５６に上記した連続可変機構５５付きのカムシャフトプーリ５４が取り付けられる。これに対してエキゾースト側カムシャフト５７には、連続可変機構無しのカムシャフトプーリ５８が取り付けられる。
【０００５】
【発明が解決しようとする課題】
本発明は以上の点に鑑み、嵌合荷重によって連続可変機構を変形させることなくカムシャフトプーリに取り付けられるダンパを提供することを目的とする。
【０００６】
またこれに加えて、回転作動時に質量体がハブに対して偏心するのを防止することが可能なダンパを提供することを目的とする。
【０００７】
【課題を解決するための手段】
上記目的を達成するため、本発明の請求項１によるダンパは、ハブの外周側にゴム状弾性材製の弾性体を介して質量体を接続したダンパであって、連続可変機構を備えたカムシャフトプーリに取り付けられるダンパにおいて、前記ハブは、前記カムシャフトプーリの径方向部の端面にボルトで固定される取付部と、前記取付部の内周端部から軸方向一方に向けて一体成形され、前記連続可変機構の外周側に嵌合代をもたないように配置される筒状部とを備え、前記筒状部は前記連続可変機構との間に径方向間隙を設定し、この筒状部の外周側に前記弾性体を介して前記質量体が接続され、前記質量体の偏心を防止するべく前記質量体が前記カムシャフトプーリに対して摺動自在に径方向に係合していることにした。
【０００９】
上記構成を備えた本発明の請求項１によるダンパのように、ハブが、連続可変機構を備えたカムシャフトプーリの径方向部の端面にボルトで固定される取付部と、この取付部の内周端部から軸方向一方に向けて一体成形され、連続可変機構の外周側に嵌合代をもたないように配置される筒状部とを備え、この筒状部が連続可変機構との間に径方向間隙を設定し、この筒状部の外周側に弾性体を介して質量体が接続されていると、ハブがカムシャフトプーリの径方向部に取り付けられて、連続可変機構に対しては全く嵌合荷重を作用させないことになる。したがって連続可変機構に嵌合荷重が作用して連続可変機構に変形が発生するのを未然に防止することが可能となる。
【００１０】
またこれに加えて、質量体の偏心を防止するべく質量体がカムシャフトプーリに対して摺動自在に径方向に係合しているために、回転作動時に質量体がハブに対して偏心するのを防止することが可能となる。
【００１１】
【発明の実施の形態】
つぎに本発明の実施形態を図面にしたがって説明する。
【００１２】
図１に示すように、当該実施形態に係るダイナミックダンパは先ず、ハブ１を備えており、このハブ１の外周側にスリーブ２が嵌着されており、このスリーブ２の外周側にゴム状弾性材製の弾性体３を介して質量体（振動リングとも称する）４が接続されている。
【００１３】
ハブ１は、板金等の所定の金属によって環状に成形されており、カムシャフトプーリ５４の径方向部５４ａの軸方向一端面にボルト５で固定される取付部１ａと、この取付部１ａの内周端部から軸方向一方に向けて一体成形され、連続可変機構５５の外周側に嵌合代をもたないように配置される筒状部１ｂと、この筒状部１ｂの軸方向一端部から径方向内方に向けて一体成形され、連続可変機構５５の軸方向一端側に配置される内向きのフランジ部１ｃとを一体に備えている。
【００１４】
取付部１ａは、環状ないし蛇の目状に成形されており、ボルト５の設置数およびカムシャフトプーリ５４の径方向部５４ａに設けられたねじ孔５４ｃの設置数に合わせて所要数のねじ孔１ｄが等配状に設けられている。
【００１５】
筒状部１ｂは、基本的に円筒状に成形されており、連続可変機構５５の外周面形状に合わせて軸方向中間部位にテーパ状の段差部１ｅが設けられており、この段差部１ｅの取付部１ａ側に比較的大径の大径円筒部１ｆが設けられるとともにフランジ部１ｃ側に比較的小径の小径円筒部１ｇが設けられている。またこの筒状部１ｂは軸方向全長に亙って、その内径寸法を連続可変機構５５の外径寸法より大きく設定されており、これによりこの筒状部１ｂと連続可変機構５５との間に間隙（径方向間隙）６が設けられている。
【００１６】
フランジ部１ｃは、環状ないし蛇の目状に成形されており、連続可変機構５５との間にやはり間隙（軸方向間隙）７が設けられている。
【００１７】
スリーブ２は、板金等の所定の金属によって円筒状に成形されており、ハブ１の小径円筒部１ｇの外周側に所定の嵌合代をもって嵌合されている。
【００１８】
弾性体３は、所定のゴムによって環状に加硫成形されており、また加硫成形と同時にスリーブ２の外周面および質量体４の内周面に加硫接着されている。
【００１９】
質量体４は、鋳鉄等の所定の金属によって環状に成形されている。またこの質量体４の外周面の軸方向一端部にカムシャフトプーリ５４のプーリ部（スプロケットとも称する）５４ａに面して環状の切欠部４ａが設けられており、これにより質量体４がこの切欠部４ａをもってプーリ部５４ａに対して摺動自在に径方向に係合している。
【００２０】
上記構成を備えたダイナミックダンパは、その共振作用によって、カムシャフトに生起される捩り振動等を吸収するもので、上記構成により以下の作用効果を奏する点に特徴を有している。
【００２１】
すなわち先ず第一に、ハブ１がその取付部１ａをもってカムシャフトプーリ５４の径方向部５４ａの端面にボルト５で固定されるようになっていて、筒状部１ｂおよびフランジ部１ｃが連続可変機構５５の外面に対して非接触とされていることから、当該ダンパがカムシャフトプーリ５４に取り付けられても、連続可変機構５５に対して全く嵌合荷重が作用しない。したがって連続可変機構５５に嵌合荷重が作用して連続可変機構５５に変形が発生するのを防止することが可能となり、これにより連続可変機構５５内部の油圧ユニット（図示せず）に異常が発生するのを未然に防止することができる。またハブ１がその筒状部１ｂおよびフランジ部１ｃをもって連続可変機構５５を覆うことから、却って連続可変機構５５ないし油圧ユニットを保護することができる。
【００２２】
また質量体４がその切欠部４ａをもってプーリ部５４ａに対して摺動自在に径方向に係合していることから、回転作動時に質量体４がハブ１に対して偏心（径方向変位）するのを防止することが可能である。したがって質量体４の偏心を懸念することなく弾性体３にばね定数の小さなゴムを使用することが可能となり、これによりカムシャフトに生起される捩り振動、回転変動、騒音等を有効に低減させることができる。
【００２３】
また図示したように、質量体４がカムシャフトプーリ５４の軸方向一端側であって背面側に配置されることから、この質量体４の軸方向長さを比較的大きく設定することが可能である。したがって慣性質量の大きさを比較的大きく設定することが可能となり、これによってもカムシャフトに生起される捩り振動、回転変動、騒音等を有効に低減させることができる。
【００２４】
【発明の効果】
本発明は、以下の効果を奏する。
【００２５】
すなわち先ず、上記構成を備えた本発明の請求項１によるダンパにおいては、ハブが、連続可変機構を備えたカムシャフトプーリの径方向部の端面にボルトで固定される取付部と、この取付部の内周端部から軸方向一方に向けて一体成形され、連続可変機構の外周側に嵌合代をもたないように配置される筒状部とを備え、この筒状部が連続可変機構との間に径方向間隙を設定し、この筒状部の外周側に弾性体を介して質量体が接続されているために、当該ダンパがカムシャフトプーリに取り付けられても、連続可変機構に対して全く嵌合荷重が作用することがない。したがって連続可変機構に嵌合荷重が作用して連続可変機構に変形が発生するのを防止することが可能となり、これにより連続可変機構内部の油圧ユニットに異常が発生するのを未然に防止することができる。またハブがその筒状部をもって連続可変機構を覆うことから、連続可変機構ないし油圧ユニットを保護することができる。
【００２６】
またこれに加えて、質量体の偏心を防止するべく質量体がカムシャフトプーリに対して摺動自在に径方向に係合しているために、回転作動時に質量体がハブに対して偏心するのを防止することが可能である。したがって質量体の偏心を懸念することなく弾性体にばね定数の小さなゴムを使用することが可能となり、これによりカムシャフトに生起される捩り振動、回転変動、騒音等を有効に低減させることができる。
【図面の簡単な説明】
【図１】本発明の実施形態に係るダンパの取付状態を示す半裁断面図
【図２】従来例に係るダンパの半裁断面図
【図３】カムシャフトの分解斜視図
【符号の説明】
１  ハブ
１ａ  取付部
１ｂ  筒状部
１ｃ  フランジ部
１ｄ，５４ｃ  ねじ孔
１ｅ  段差部
１ｆ  大径円筒部
１ｇ  小径円筒部
２  スリーブ
３  弾性体
４  質量体
４ａ  切欠部
５  ボルト
６，７  間隙
５４  カムシャフトプーリ
５４ａ  径方向部
５４ｂ  プーリ部
５５  連続可変機構
【図１】
0003661744.tif 000002
【図２】
0003661744.tif 000003
【図３】
0003661744.tif 000004